(57)【要約】【課題】  運搬中において、柩の位置ずれを防止することができる柩運搬車を提供する。【解決手段】  車輪４を有する台車本体２と、この台車本体２に設けられ柩51を載置するリフト杆３，３とを有する柩運搬車１において、柩51をリフト杆３，３に固定する固定手段21を備える。リフト杆３，３に載置した柩51を固定手段21により固定することにより、位置ずれを起すことなく柩51を運搬することができ、挟着体23，23は柩51を幅方向両側か挟むから、挟着体23，23により柩51の幅方向の移動を防止できると共に、挟着体21，21により挟むことにより、柩51の前後方向の移動を防止できる。【選択図】  図３
0003116915.tif 000002
【実用新案登録請求の範囲】
【請求項１】
車輪を有する台車本体と、この台車本体に設けられ柩を載置する載置部とを有する柩運搬車において、前記柩を前記載置部に固定する固定手段を備えることを特徴とする柩運搬車。
【請求項２】
前記固定手段は、前記柩を挟む挟着体を有することを特徴とする請求項１記載の柩運搬車。
【請求項３】
前記挟着体は前記柩を幅方向両側から挟むことを特徴とする請求項２記載の柩運搬車。
【請求項４】
前記挟着体は前記柩の側面に面接触する前後方向に長い接触面を有することを特徴とする請求項３記載の柩運搬車。
【請求項５】
前記載置部に前記挟着体を移動可能に設けると共に、前記挟着体を位置固定する位置固定手段を備えることを特徴とする請求項２〜４のいずれか１項に記載の柩運搬車。
【請求項６】
前記載置部の幅方向両側に、柩幅方向の案内杆を前後方向に間隔を置いて複数設け、これら案内杆を挿通する挿通孔を前記挟着体に設けると共に、前記案内杆に沿って前記挟着体を移動可能に設け、前記挟着体を前記案内杆に位置固定する位置固定手段を備えることを特徴とする請求項３又は４記載の柩運搬車。
【請求項７】
前記位置固定手段は、前記挟着体に螺合され先端が前記案内杆に圧接可能な雄螺子と、この雄螺子に一体に設けられた回動操作用摘みとを備えることを特徴とする請求項６記載の柩運搬車。
【請求項８】
前記載置部が前記台車本体に昇降可能に設けられていることを特徴とする請求項３〜７のいずれか１項の記載の柩運搬車。
【請求項９】
前記載置部は、柩幅方向に間隔をおいて配置した一対のリフト杆であり、前記台車本体に前記一対のリフト杆を昇降する昇降駆動手段を設けたことを特徴とする請求項８記載の柩運搬車。
【考案の詳細な説明】
【技術分野】
【０００１】
この考案は、火葬場などで柩を運搬する柩運搬車に関する。
【背景技術】
【０００２】
従来、この種のものとして、遺体を収納した柩を載せ、火葬炉の燃焼室に運搬する柩運搬車があり、柩を載せた台車を燃焼室に収納する（例えば特許文献１）ものや、燃焼室まで柩を載せて運搬するもの（例えば特許文献２）などがある。
【０００３】
そして、火葬炉内において柩を傾動した際、柩の前方への摺下防止のためにアングルを設けた傾動装置（例えば特許文献３）はあるが、上記のような従来の柩運搬車において、運搬中における柩の移動防止を考慮したものはなく、柩を単に乗せて運搬するものであるため、運搬中に柩が動いて位置ずれを起すなどの問題が生じる虞がある。
【特許文献１】実公昭６０−２６２６０号公報
【特許文献２】実公平５−６６６号公報（第１図）
【特許文献３】実公昭７−３２８４号公報
【考案の開示】
【考案が解決しようとする課題】
【０００４】
そこで、本考案は以上の点を考慮してなされたもので、運搬中において、柩の位置ずれを防止することができる柩運搬車を提供することを目的とする。
【課題を解決するための手段】
【０００５】
本考案の請求項１は、車輪を有する台車本体と、この台車本体に設けられ柩を載置する載置部とを有する柩運搬車において、前記柩を前記載置部に固定する固定手段を備えるものである。
【０００６】
本考案の請求項２は、前記固定手段は、前記柩を挟む挟着体を有するものである。
【０００７】
本考案の請求項３は、前記挟着体は前記柩を幅方向両側から挟むものである。
【０００８】
本考案の請求項４は、前記挟着体は前記柩の側面に面接触する前後方向に長い接触面を有するものである。
【０００９】
本考案の請求項５は、前記載置部に前記挟着体を移動可能に設けると共に、前記挟着体を位置固定する位置固定手段を備えるものである。
【００１０】
本考案の請求項６は、前記載置部の幅方向両側に、柩幅方向の案内杆を前後方向に間隔を置いて複数設け、これら案内杆を挿通する挿通孔を前記挟着体に設けると共に、前記案内杆に沿って前記挟着体を移動可能に設け、前記挟着体を前記案内杆に位置固定する位置固定手段を備えるものである。
【００１１】
本考案の請求項７は、前記位置固定手段は、前記挟着体に螺合され先端が前記案内杆に圧接可能な雄螺子と、この雄螺子に一体に設けられた回動操作用摘みとを備えるものである。
【００１２】
本考案の請求項８は、前記載置部が前記台車本体に昇降可能に設けられているものである。
【００１３】
本考案の請求項９は、前記載置部は、柩幅方向に間隔をおいて配置した一対のリフト杆であり、前記台車本体に前記一対のリフト杆を昇降する昇降駆動手段を設けたものである。
【考案の効果】
【００１４】
本考案の請求項１の構成によれば、載置部に載置した柩を固定手段により固定することにより、位置ずれを起すことなく柩を運搬することができる。
【００１５】
本考案の請求項２の構成によれば、柩を挟んで簡便に固定できる。
【００１６】
本考案の請求項３の構成によれば、挟着体により柩の幅方向の移動を防止できると共に、挟着体により挟むことにより、柩の前後方向の移動を防止できる。
【００１７】
本考案の請求項４の構成によれば、挟着体が面接触することにより、柩を安定して固定することができる。
【００１８】
本考案の請求項５の構成によれば、移動可能な挟着体を柩挟着位置に移動して位置固定手段により位置固定することにより、挟着体により柩を挟んで固定することができる。
【００１９】
本考案の請求項６の構成によれば、案内杆に沿って挟着体を移動し、柩挟着位置において位置固定手段により位置固定することにより、挟着体により柩を挟んで固定することができ、複数の案内杆に移動可能に設けた挟着体により、柩を均一な力で挟むことができる。
【００２０】
本考案の請求項７の構成によれば、回転操作用摘みを用いて雄螺子を捻じ込み、該雄螺子を案内杆に圧接することにより、挟着体を案内杆に位置固定することができ、逆に雄螺子を逆方向に回すことにより、前記圧接が解除され、挟着体を案内杆に沿って移動することができる。
【００２１】
本考案の請求項８の構成によれば、固定手段により柩を固定することにより、柩を安定して昇降することができる。
【００２２】
本考案の請求項９の構成によれば、リフト杆を昇降し、リフト杆の間の外部載置部などに柩を下して受け渡す際にも、リフト杆に柩が固定されているため、その受け渡しを安定して行いことができる。
【考案を実施するための最良の形態】
【００２３】
本考案における好適な実施の形態について、添付図面を参照しながら詳細に説明する。
【実施例１】
【００２４】
以下、本考案の実施例について、図１〜図４を参照して説明する。同図に示すように、柩運搬車１は、台車本体２と、この台車本体２に設けられた載置部たるリフト杆３，３とを備え、前記台車本体２の前後左右には車輪４，４，４，４が設けられている。また、台車本体２は、前部２Ａとこの前部２Ａより高い後部２Ｂとを一体にしてなり、この後部２Ｂの後に走行装置５が設けられている。また、前部２Ａの中央には前後方向に開口する開口部２Ｃが形成されている。
【００２５】
前記走行装置５は、走行装置本体６を回動連結部７により前記台車本体２に回動可能に連結し、その走行装置本体６の下部に駆動輪８を有し、前記走行装置本体６は、前記駆動輪８を回転駆動する駆動手段（図示せず）を内蔵する。また、走行装置本体６の上部には、操作ハンドル９が設けられ、この操作ハンドル９により、前進後退の切替操作やブレーキ操作を行うことができ、また、操作ハンドル９を操作して駆動輪９の向きを変えることができるようになっている。尚、駆動手段の駆動源は、台車本体２に搭載したバッテリ（図示せず）などが用いられる。
【００２６】
前記リフト杆３，３は、リフト杆本体11と、このリフト杆本体11の内側に一体に設けた補助アーム12とからなり、前記後部２Ｂの前面から前方に向って延設され、前記リフト杆本体11，11の後端が、前記後部２Ｂ内に設けた昇降駆動手段13に連結され、該昇降駆動手段13によりリフト杆３，３が水平状態で上下動するようになっている。また、前記、一対のリフト杆３，３は左右に間隔を置いて配置されている。
【００２７】
前記リフト杆本体11は断面が左右方向に長い角パイプなどからなり、前記補助アーム12は断面が上下方向に長い角パイプなどからなり、その補助アーム12の上面は前記リフト杆本体11の上面より高く、両側のリフト杆３，３の補助アーム13，13上に柩51の幅方向両側下面が載置される。
【００２８】
次に、載置部たる前記リフト杆３，３の上に柩51を固定する固定手段21について説明する。図１に示すように、固定手段21は、前記リフト杆３，３の幅方向外側に、柩幅方向（左右方向）の案内杆22，22を突設し、これら案内杆22は、丸棒などからなり、リフト杆３の前後方向に間隔を置いて複数設けられている。また、前記固定手段21は前記案内杆22に沿って柩幅方向に移動する挟着体23と、この挟着体23を前記案内杆22に位置固定する位置固定手段24とを備える。
【００２９】
図４に示すように、前記挟着体23は、前記案内杆22を挿通する挿通孔25Ａを穿設した取付部25と、この取付部25の上に突設され前記柩51の側面52に面接触する挟着部26とからなり、挟着部26の内側面が接触面26Ａである。前記取付部25は断面が縦長の角パイプからなり、前記挟着部26は前後方向に長いフラットバーなどからなる。
【００３０】
前記位置固定手段24は、前記取付部25の下板に螺合する雄螺子31と、この雄螺子31の基端に一体に設けられた回動操作用摘み32とを備え、この回動操作用摘み32により雄螺子31を捻じ込むことにより、雄螺子31の先端31Ａが案内杆22に圧接し、案内杆22に挟着体23が位置固定される。
【００３１】
尚、図中35は、走行面に設けた図示しない案内部材を挟んで転動するガイド用ローラである。
【００３２】
次に、前記構成につき、その作用を説明する。幅方向両側のリフト杆３，３の補助アーム12，12の上に、柩51の幅方向両側下面を載置し、挟着体23を複数の案内杆22，22…に沿って移動し、その挟着部26を柩51の側面52に当て、位置固定手段24により固定し、両側の挟着体23，23により柩51を幅方向両側から挟んで固定する。この後、柩運搬車１を移動し、図示しない火葬炉の燃焼室内に昇降駆動手段13を用いて柩51を下ろす。このように柩51を固定手段21によりリフト杆３，３上の固定するため、柩運搬車１の移動中に柩51の位置がずれることがなく、火葬炉の燃焼室などに安定して運搬することができ、また、所定の場所に受け渡しを行うことができる。
【００３３】
このように本実施例では、請求項１に対応して、車輪４を有する台車本体２と、この台車本体２に設けられ柩51を載置する載置部たるリフト杆３，３とを有する柩運搬車１において、柩51をリフト杆３，３に固定する固定手段21を備えるから、リフト杆３，３に載置した柩51を固定手段21により固定することにより、位置ずれを起すことなく柩51を運搬することができる。
【００３４】
また、このように本実施例では、請求項２に対応して、固定手段21は、柩51を挟む挟着体23，23を有するから、柩51を挟んで簡便に固定することができる。
【００３５】
また、このように本実施例では、請求項３に対応して、挟着体223，23は柩51を幅方向両側か挟むから、挟着体23，23により柩51の幅方向の移動を防止できると共に、挟着体23，23により挟むことにより、柩51の前後方向の移動を防止できる。
【００３６】
また、このように本実施例では、請求項４に対応して、挟着体23は柩51の側面52に面接触する前後方向に長い接触面26Ａを有するから、挟着体23が柩51に面接触することにより、柩51を安定して固定することができる。
【００３７】
また、このように本実施例では、請求項５に対応して、載置部たるリフト杆３に挟着体23を移動可能に設けると共に、挟着体23を位置固定する位置固定手段24を備えるから、移動可能な挟着体23を柩挟着位置に移動して位置固定手段により位置固定することにより、挟着体により柩51を挟んで固定することができる。
【００３８】
また、このように本実施例では、請求項６に対応して、載置部たるリフト杆３，３の幅方向両側に、柩幅方向の案内杆22，22…を前後方向に間隔を置いて複数設け、これら案内杆22，22…を挿通する挿通孔25Ａ，26Ａ…を挟着体23に設けると共に、案内杆22に沿って挟着体23を移動可能に設け、挟着体23を案内杆22に位置固定する位置固定手段24を備えるから、案内杆22に沿って挟着体23を移動し、柩挟着位置において位置固定手段24により位置固定することにより、挟着体23，23により柩51を挟んで固定することができ、複数の案内杆22，22…に移動可能に設けた挟着体23により、均一な力で柩51を挟むことができる。
【００３９】
また、このように本実施例では、請求項７に対応して、位置固定手段24は、挟着体23に螺合され先端31Ａが案内杆22に圧接可能な雄螺子31と、この雄螺子31に一体に設けられた回動操作用摘み32とを備えるから、回転操作用摘み32を用いて雄螺子31を捻じ込み、該雄螺子31を案内杆22に圧接することにより、挟着体23を案内杆22に位置固定することができ、逆に雄螺子31を逆方向に回すことにより、前記圧接が解除され、挟着体23を案内杆22に沿って移動することができる。
【００４０】
さらに、このように本実施例では、請求項８に対応して、載置部たるリフト杆３が台車本体２に昇降可能に設けられているから、固定手段21により柩51を固定することにより、柩51を安定して昇降することができる。
【００４１】
さらに、このように本実施例では、請求項９に対応して、載置部は、柩幅方向に間隔をおいて配置した一対のリフト杆３，３であり、台車本体２に一対のリフト杆３，３を昇降する昇降駆動手段13を設けたから、リフト杆３，３を昇降し、リフト杆３，３の間の外部載置部などに柩51を下して受け渡す際にも、リフト杆３，３に柩51が固定されているため、その受け渡しを安定して行いことができる。
【００４２】
尚、本考案は上記実施例に限定されるものではなく、本考案の要旨の範囲内において種々の変形実施が可能である。例えば、固定手段は各種のものを用いることができる。また、実施例では、載置部として昇降するリフト杆の例を示したが、固定された載置部であっても良いことは言うまでもない。
【図面の簡単な説明】
【００４３】
【図１】本考案の実施例１を示す全体平面図である。
【図２】同上、全体側面図である。
【図３】同上、要部の断面図である。
【図４】同上、固定手段の断面図である。
【符号の説明】
【００４４】
１  柩運搬車
２  台車本体
３  リフト杆（載置部）
４  車輪
13  昇降駆動手段
21  固定手段
22  案内杆
23  挟着体
24  位置固定手段
25Ａ  挿通孔
26Ａ  接触面
31  雄螺子
31Ａ  先端
32  回動操作用摘み
51  柩
52  側面
【図１】
0003116915.tif 000003
【図２】
0003116915.tif 000004
【図３】
0003116915.tif 000005
【図４】
0003116915.tif 000006